(57)【要約】【課題】  用紙属性による画像形成制御が行われるカスタム紙種を指定した印刷を行う際に、用紙属性の設定が行われた給紙装置を自動用紙選択の対象とするか否かについて設定を行うことができる画像形成装置およびその方法を提供する。【解決手段】  画像形成装置１００において、ユーザインターフェース部１１０より用紙属性が入力され用紙属性保存部１２１に保存され、用紙属性設定受付部１２２が受付けた内容により保存された用紙属性を給紙装置に設定し、給紙トレイ選択部１２４により給紙装置が選択され、選択された給紙装置に用紙属性が設定されていなければ標準の画像形成を行い、選択された給紙装置に用紙属性が設定されていれば当該用紙属性に基づいて画像の形成を行うように制御される。【選択図】  図１
2007098841.tif 000002
【特許請求の範囲】
【請求項１】
用紙を収納する１または複数の給紙装置を有し、印刷データに含まれる原稿サイズの情報より印刷に使用する用紙の用紙サイズを選択して該用紙サイズの用紙が収納されている給紙装置から用紙を給紙して画像形成を行う自動用紙選択機能を有する画像形成装置において、
前記用紙に適した画像形成を行うための用紙属性を入力する用紙属性入力手段と、
前記属性入力手段によって入力された用紙属性を保存する用紙属性保存手段と、
前記用紙属性保存手段により保存された用紙属性を給紙装置に収納された用紙の属性として設定する給紙装置用紙属性設定手段と、
前記給紙装置用紙属性設定手段の結果に基づいて用紙の給紙対象の給紙装置を選択する給紙装置選択手段と、
前記給紙装置選択手段により選択された給紙装置が前記給紙装置用紙属性設定手段で用紙属性が設定されていない場合は、用紙に対して標準の画像形成を行い、
前記給紙装置選択手段により選択された給紙装置が前記給紙装置用紙属性設定手段で用紙属性が設定されている場合は、用紙に対して当該用紙属性に基づいて画像の形成を行うように制御する画像形成制御手段と
を具備することを特徴とする画像形成装置。
【請求項２】
前記画像形成装置に対して画像形成指示を行う画像形成指示装置が接続され、
前記給紙装置選択手段は、前記画像形成指示装置から前記自動用紙選択機能による自動用紙選択の印刷指示があった場合には、前記給紙装置用紙属性設定手段で設定済みの給紙装置は、前記自動用紙選択の選択肢より外して、前記自動用紙選択機能により用紙の給紙対象の給紙装置を選択する
ことを特徴とする請求項１記載の画像形成装置。
【請求項３】
前記画像形成装置に対して画像形成指示を行う画像形成指示装置が接続され、
前記画像形成指示装置から前記自動用紙選択機能による自動用紙選択指定の印刷指示があった場合には、前記給紙装置用紙属性設定手段で設定済みの給紙装置は前記自動用紙選択の選択肢より外すか否かの設定を行う自動用紙選択選択肢設定手段
を備え、
前記給紙装置選択手段は、前記自動用紙選択選択肢設定手段によって設定された内容に基づいて、前記自動用紙選択機能により用紙の給紙対象の給紙装置を選択する
ことを特徴とする請求項１または２記載の画像形成装置。
【請求項４】
前記用紙属性入力手段で入力される用紙属性は、
前記画像形成指示装置から前記自動用紙選択機能による自動用紙選択指定の印刷指示があった場合に、前記給紙装置用紙属性設定手段で設定済みの給紙装置を前記自動用紙選択の選択肢より外すか否かの設定が行われる設定内容を含む
ことを特徴とする請求項３記載の画像形成装置。
【請求項５】
前記自動用紙選択選択肢設定手段は、
前記給紙装置用紙属性設定手段で設定済みの給紙装置は前記自動用紙選択の選択肢より外すか否かの設定を、前記給紙装置毎に行う
ことを特徴とする請求項３記載の画像形成装置。
【請求項６】
用紙を収納する１または複数の給紙装置を有し、印刷データに含まれる原稿サイズの情報より印刷に使用する用紙の用紙サイズを選択して該用紙サイズの用紙が収納されている給紙装置から用紙を給紙して画像形成を行う自動用紙選択機能を有する画像形成装置で行う画像形成方法において、
前記用紙に適した画像形成を行うための用紙属性を用紙属性入力手段により入力し、
前記属性入力手段によって入力された用紙属性を用紙属性保存手段により保存し、
前記用紙属性保存手段により保存された用紙属性を給紙装置に収納された用紙の属性として給紙装置用紙属性設定手段により設定し、
前記給紙装置用紙属性設定手段の結果に基づいて用紙の給紙対象の給紙装置を給紙装置選択手段により選択し、
前記給紙装置選択手段により選択された給紙装置が前記給紙装置用紙属性設定手段で用紙属性が設定されていない場合は、用紙に対して標準の画像形成を行い、
前記給紙装置選択手段により選択された給紙装置が前記給紙装置用紙属性設定手段で用紙属性が設定されている場合は、用紙に対して当該用紙属性に基づいて画像の形成を行うように画像形成制御手段により制御する
ことを特徴とする画像形成方法。
【発明の詳細な説明】
【技術分野】
【０００１】
本発明は、印刷データに含まれる原稿サイズ等の情報より印刷に使用する用紙サイズを選択して該用紙サイズの用紙が収納されている給紙装置から用紙を給紙して画像形成を行う自動用紙選択機能を有する画像形成装置およびその方法に関し、特に、用紙属性による画像形成制御が行われるカスタム紙種を指定した印刷を行う際に、用紙属性の設定が行われた給紙装置を自動用紙選択の対象とするか否かについて設定を行うことができる画像形成装置およびその方法に関する。
【背景技術】
【０００２】
一般に、給紙装置に収納された用紙に画像を形成する際、その用紙のサイズや紙種によって最適な速度や温度で画像形成を行ったり、用紙の給紙時における用紙間の密着を解くために用紙に適した強さや時間でエアーを吹き付ける機能を持つ画像形成装置は知られている。
【０００３】
従来、これらの動作を制御する用紙属性(用紙パラメータ)は、そのサイズや紙種(コート紙・非コート紙)などとあまり多くなく、そのために、その設定も給紙装置に設置された設定スイッチを用いて設定するのが普通であった。
【０００４】
このような場合、給紙装置を開けて用紙を収容する際、同時に設定スイッチにより用紙属性を設定してから給紙装置を閉めることで、給紙装置に収容された用紙とその用紙に設定された各種属性は、設定スイッチの選択ミスを除けば常に一致しており、給紙装置に収容された用紙に最適な制御が可能であった。
【０００５】
しかし近年、画像形成装置で制御可能な紙種や、最適な画像形成を行うための用紙属性がより細分化され多種に及んだため、従来のような、用紙属性の設定を給紙装置に設置された設定スイッチですべて行うことが困難となり、そこで、特許文献１に示すように、画像形成装置に備えられたユーザインターフェース装置を用いて設定したり、また、ネットワーク等を介して接続されるパーソナルコンピュータなどから、各種用紙属性を設定する構成が提案されている。
【特許文献１】特開２００３−２７０８７２号公報
【発明の開示】
【発明が解決しようとする課題】
【０００６】
さて、画像形成装置において給紙される給紙装置が選択される際には、ユーザが用紙サイズ等を指定することにより、画像形成装置が自動的に指定された内容に対応する給紙装置を選択する自動用紙選択機能であるＡＰＳ(Auto Paper Selection)が知られている。
【０００７】
そして、上述のような用紙属性の設定が必要な用紙の画像形成（カスタム紙の画像形成）の際に、用紙サイズを指定して画像形成を行う際に、カスタム紙と普通紙とのどちらか指定の用紙のみを使用したいという要求がある。
【０００８】
そこで、この発明は、用紙属性による画像形成制御が行われるカスタム紙種を指定した印刷を行う際に、用紙属性の設定が行われた給紙装置を自動用紙選択の対象とするか否かについて設定を行うことができる画像形成装置およびその方法を提供することを目的とする。
【課題を解決するための手段】
【０００９】
上記目的を達成する為、請求項１の発明は、用紙を収納する１または複数の給紙装置を有し、印刷データに含まれる原稿サイズの情報より印刷に使用する用紙の用紙サイズを選択して該用紙サイズの用紙が収納されている給紙装置から用紙を給紙して画像形成を行う自動用紙選択機能を有する画像形成装置において、前記用紙に適した画像形成を行うための用紙属性を入力する用紙属性入力手段と、前記属性入力手段によって入力された用紙属性を保存する用紙属性保存手段と、前記用紙属性保存手段により保存された用紙属性を給紙装置に収納された用紙の属性として設定する給紙装置用紙属性設定手段と、前記給紙装置用紙属性設定手段の結果に基づいて用紙の給紙対象の給紙装置を選択する給紙装置選択手段と、前記給紙装置選択手段により選択された給紙装置が前記給紙装置用紙属性設定手段で用紙属性が設定されていない場合は、用紙に対して標準の画像形成を行い、前記給紙装置選択手段により選択された給紙装置が前記給紙装置用紙属性設定手段で用紙属性が設定されている場合は、用紙に対して当該用紙属性に基づいて画像の形成を行うように制御する画像形成制御手段とを具備することを特徴とする。
【００１０】
また、請求項２の発明は、請求項１の発明において、前記画像形成装置に対して画像形成指示を行う画像形成指示装置が接続され、前記給紙装置選択手段は、前記画像形成指示装置から前記自動用紙選択機能による自動用紙選択の印刷指示があった場合には、前記給紙装置用紙属性設定手段で設定済みの給紙装置は、前記自動用紙選択の選択肢より外して、前記自動用紙選択機能により用紙の給紙対象の給紙装置を選択することを特徴とする。
【００１１】
また、請求項３の発明は、請求項１または２の発明において、前記画像形成装置に対して画像形成指示を行う画像形成指示装置が接続され、前記画像形成指示装置から前記自動用紙選択機能による自動用紙選択指定の印刷指示があった場合には、前記給紙装置用紙属性設定手段で設定済みの給紙装置は前記自動用紙選択の選択肢より外すか否かの設定を行う自動用紙選択選択肢設定手段を備え、前記給紙装置選択手段は、前記自動用紙選択選択肢設定手段によって設定された内容に基づいて、前記自動用紙選択機能により用紙の給紙対象の給紙装置を選択することを特徴とする。
【００１２】
また、請求項４の発明は、請求項３の発明は、前記用紙属性入力手段で入力される用紙属性は、前記画像形成指示装置から前記自動用紙選択機能による自動用紙選択指定の印刷指示があった場合に、前記給紙装置用紙属性設定手段で設定済みの給紙装置を前記自動用紙選択の選択肢より外すか否かの設定が行われる設定内容を含むことを特徴とする。
【００１３】
また、請求項５の発明は、請求項３の発明において、前記自動用紙選択選択肢設定手段は、前記給紙装置用紙属性設定手段で設定済みの給紙装置は前記自動用紙選択の選択肢より外すか否かの設定を、前記給紙装置毎に行うことを特徴とする。
【００１４】
また、請求項６の発明は、用紙を収納する１または複数の給紙装置を有し、印刷データに含まれる原稿サイズの情報より印刷に使用する用紙の用紙サイズを選択して該用紙サイズの用紙が収納されている給紙装置から用紙を給紙して画像形成を行う自動用紙選択機能を有する画像形成装置で行う画像形成方法において、前記用紙に適した画像形成を行うための用紙属性を用紙属性入力手段により入力し、前記属性入力手段によって入力された用紙属性を用紙属性保存手段により保存し、前記用紙属性保存手段により保存された用紙属性を給紙装置に収納された用紙の属性として給紙装置用紙属性設定手段により設定し、前記給紙装置用紙属性設定手段の結果に基づいて用紙の給紙対象の給紙装置を給紙装置選択手段により選択し、前記給紙装置選択手段により選択された給紙装置が前記給紙装置用紙属性設定手段で用紙属性が設定されていない場合は、用紙に対して標準の画像形成を行い、前記給紙装置選択手段により選択された給紙装置が前記給紙装置用紙属性設定手段で用紙属性が設定されている場合は、用紙に対して当該用紙属性に基づいて画像の形成を行うように画像形成制御手段により制御することを特徴とする。
【発明の効果】
【００１５】
本発明の画像形成装置およびその発明によれば、用紙に適した画像形成を行うための用紙属性を入力する用紙属性入力手段と、属性入力手段によって入力された用紙属性を保存する用紙属性保存手段と、用紙属性保存手段により保存された用紙属性を給紙装置に収納された用紙の属性として設定する給紙装置用紙属性設定手段と、給紙装置用紙属性設定手段の結果に基づいて用紙の給紙対象の給紙装置を選択する給紙装置選択手段と、給紙装置選択手段により選択された給紙装置が給紙装置用紙属性設定手段で用紙属性が設定されていない場合は、用紙に対して標準の画像形成を行い、給紙装置選択手段により選択された給紙装置が給紙装置用紙属性設定手段で用紙属性が設定されている場合は、用紙に対して当該用紙属性に基づいて画像の形成を行うように制御する画像形成制御手段とを具備するように構成したので、用紙属性による画像形成制御が行われるカスタム紙種を指定した印刷を行う際に、用紙属性の設定が行われた結果に基づいて給紙装置を選択するように設定を行うことができる。
【００１６】
そして、本発明の画像形成装置およびその発明によれば、用紙に適した画像形成を行うための用紙属性を入力する用紙属性入力手段と、属性入力手段によって入力された用紙属性を保存する用紙属性保存手段と、用紙属性保存手段により保存された用紙属性を給紙装置に収納された用紙の属性として設定する給紙装置用紙属性設定手段と、給紙装置用紙属性設定手段の結果に基づいて用紙の給紙対象の給紙装置を選択する給紙装置選択手段と、給紙装置選択手段により選択された給紙装置が前記給紙装置用紙属性設定手段で用紙属性が設定されていない場合は、用紙に対して標準の画像形成を行い、給紙装置選択手段により選択された給紙装置が前記給紙装置用紙属性設定手段で用紙属性が設定されている場合は、用紙に対して当該用紙属性に基づいて画像の形成を行うように制御する画像形成制御手段とを具備し、さらに、画像形成装置に対して画像形成指示を行う画像形成指示装置が接続され、給紙装置選択手段は、画像形成指示装置から自動用紙選択機能による自動用紙選択の印刷指示があった場合には、給紙装置用紙属性設定手段で設定済みの給紙装置は、自動用紙選択の選択肢より外して、自動用紙選択機能により用紙の給紙対象の給紙装置を選択するように構成したので、用紙属性による画像形成制御が行われるカスタム紙種を指定した印刷を行う際に、用紙属性の設定が行われた給紙装置を自動用紙選択の対象としないように設定を行うことができるという効果を奏する。
【発明を実施するための最良の形態】
【００１７】
以下、本発明に係わる画像形成装置およびその方法の実施例について添付図面を参照して詳細に説明する。
【００１８】
図１は、本発明に係わる画像形成装置およびその方法が提供される画像形成装置の一概略構成例を示すブロック図である。
【００１９】
図１において、この画像形成装置１００は、ネットワーク２０を経由してプリント制御装置３０、画像読取装置４０、情報処理装置５０−１〜５０−ｎが接続されている。
【００２０】
ここで、プリント制御装置３０は、画像形成装置１００を用いた各種文書の印刷制御を行うもので、プリントサーバを構成するものである。
【００２１】
また、画像読取装置４０は、画像形成装置１００を用いて印刷する画像を読み取るもので、ネットワークスキャナとして構成される。
【００２２】
また、情報処理装置５０−１〜５０−ｎは、画像形成装置１００を用いて印刷する文書の処理を行うもので、例えば、各ユーザのパーソナルコンピュータがこれに相当する。
【００２３】
ここで、プリント制御装置３０、画像読取装置４０、情報処理装置５０−１〜５０−ｎは、本発明に係わる画像形成装置１００の各給紙装置である各給紙トレイの用紙属性の設定指示等を入力するユーザインターフェース部をそれぞれ有している。
【００２４】
画像形成装置１００は、ユーザインターフェース部１１０、制御部１２０、画像形成部１３０を具備して構成される。
【００２５】
ここで、ユーザインターフェース部１１０は、この発明に係わる画像形成装置１００の各給紙トレイの用紙属性の設定指示等を入力するものである。
【００２６】
なお、ユーザインターフェース部１１０で入力される用紙属性の設定指示等には、予め設定された用紙属性の設定の変更も含まれる。
【００２７】
また、制御部１２０は、画像形成部１３０を制御し、用紙属性設定に関する制御を行うものであり、さらに、制御部１２０内に、ユーザインターフェース部より受付けた用紙属性を保存する用紙属性保存部１２１と、給紙装置と用紙属性との関連付けを記憶する用紙属性受付部１２２と、用紙属性が設定された給紙装置が使用されて画像形成が行われる際に、設定された用紙属性に基づいて画像形成制御を行う用紙属性制御部１２３と、画像形成に使用する給紙トレイの選択を行う給紙トレイ選択部１２４が備えられる。
【００２８】
また、画像形成部１３０は、給紙トレイに収納された用紙を使用して画像形成を行い、さらに、画像形成部１３０内に、給紙トレイ（給紙トレイａ）１３１ａ、給紙トレイ（給紙トレイｂ）１３２ｂ、給紙トレイ（給紙トレイｃ）１３３ｃ、給紙トレイ（給紙トレイｄ）１３４ｄが備えられる。
【００２９】
次に、画像形成装置１００において、用紙属性が入力され、入力された用紙属性によって用紙が制御されて画像形成が行われる処理について図２を参照して説明を行う。
【００３０】
図２は、画像形成装置１００において、用紙属性が入力され、入力された用紙属性によって用紙が制御されて画像形成が行われる処理フローを示したフローチャートであり、図２（ａ）は、画像形成装置１００に用紙属性が入力されて保存され、給紙トレイに入力された用紙属性が設定される処理フローを示したフローチャートであり、図２（ｂ）は、給紙トレイに用紙属性が設定された画像形成装置１００において、設定された用紙属性に基づき画像形成の制御が行われる処理フロー、或いは、用紙属性が設定されない給紙トレイより給紙が行われて標準の画像形成制御が行われる処理フローを示したフローチャートである。
【００３１】
図２（ａ）に示すように、画像形成装置１００に、ユーザインターフェース部より用紙属性が入力されると（ステップ２０１）、入力された用紙属性は用紙属性保存部１２１に、一意に認識される識別子が付けられて保存される（ステップ２０２）。
【００３２】
本実施例では、識別子は「カスタム紙種１」などと番号をつけて設定される。
【００３３】
そして、ユーザによるユーザインターフェース部からの操作により、用紙属性を表す識別子が給紙トレイに関連付けられ、画像形成に使用される給紙トレイに用紙属性が設定される（ステップ２０３）。
【００３４】
例えば、給紙トレイ（給紙トレイａ）１３１ａにカスタム紙種３で表される用紙属性の設定が行われる。
【００３５】
このようにして、画像形成装置１００に、画像形成に使用される給紙トレイ（給紙トレイａ）１３１ａに用紙属性の設定が行われる。
【００３６】
なお、本発明においては、画像形成時に使用される給紙トレイが自動的に選択される自動選択の対象とするか否かの設定は、用紙属性が入力される際に用紙属性を表す識別子に対応して（実施例２）、或いは、用紙属性が入力される際に入力される用紙属性の内容の中に（実施例３）、或いは、給紙トレイに用紙属性が設定される際に給紙トレイ毎に（実施例４）、行われることを可能とする。
【００３７】
この画像形成時に使用される給紙トレイが自動的に選択される自動選択の対象とするか否かの設定については、各実施例において説明を行う。
【００３８】
そして、ユーザは、情報処理装置５０−１〜５０−ｎより印刷ジョブを画像形成装置１００に送信する。
【００３９】
画像形成装置１００においては、図２（ｂ）に示すように、印刷ジョブを受信して（ステップ２０４）、印刷ジョブの内容に基づき、給紙トレイ選択部１２４により、画像形成に使用される給紙トレイの選択が行われる。
【００４０】
給紙トレイが選択される際には、印刷ジョブの中で設定された内容に基づき、給紙トレイの自動選択が行われる場合がある。
【００４１】
そして、選択された給紙トレイに用紙属性が設定されている場合には（ステップ２０５でＹＥＳ）、設定された用紙属性に基づき画像形成する制御が行われ（ステップ２０６）、また、選択された給紙トレイに用紙属性が設定されていない場合には（ステップ２０５でＮＯ）、標準の画像形成制御が行われる（ステップ２０７）。
【００４２】
このように、用紙属性の設定が行われる画像形成装置１００において、用紙属性の制御に基づいて画像形成の制御が行われる。
【００４３】
以下に示す実施例１から実施例４では、この画像形成装置１００で、ユーザインターフェース部で設定される内容に基づいて、画像形成に使用される給紙トレイが選択される処理について説明を行う。
【００４４】
実施例１では、ユーザインターフェース部より、用紙属性の設定が行われ、自動用紙選択指示を含む印刷ジョブを画像形成装置１００が受け取った際に、用紙属性が設定された給紙トレイが自動用紙選択の選択肢より外されて給紙トレイの選択が行われる処理について説明する。
【００４５】
また、実施例２では、ユーザインターフェース部より、用紙属性に付与された識別子毎に自動用紙選択の選択肢とするか否かの設定が行われ、自動用紙選択指示を含む印刷ジョブを画像形成装置１００が受け取った際に、設定された内容に基づいて自動用紙選択の選択肢より給紙トレイの選択が行われる処理について説明する。
【００４６】
また、実施例３では、ユーザインターフェース部より、用紙属性の内容に自動用紙選択の選択肢とするか否かの設定内容が存在し、自動用紙選択指示を含む印刷ジョブを画像形成装置１００が受け取った際に、設定された内容に基づいて自動用紙選択の選択肢より給紙トレイの選択が行われる処理について説明する。
【００４７】
また、実施例４では、ユーザインターフェース部より、用紙属性が設定された給紙トレイ毎に自動用紙選択の選択肢とするか否かの設定が行われ、自動用紙選択指示を含む印刷ジョブを画像形成装置１００が受け取った際に、設定された内容に基づいて自動用紙選択の選択肢より給紙トレイの選択が行われる処理について説明する。
【実施例１】
【００４８】
本実施例では、ユーザインターフェース部より、用紙属性の設定が行われ、自動用紙選択が指定された印刷ジョブの画像形成が行われる際に、用紙属性が設定された給紙トレイが自動用紙選択の選択肢から外されて給紙トレイが選択され画像形成が行われる処理について説明を行う。
【００４９】
本実施例が実施される装置は、図１を参照して説明した画像形成装置１００およびネットワーク２０に接続されるプリント制御装置３０、情報読取装置４０、情報処理装置５０−１〜５０−ｎである。
【００５０】
図１を参照して説明した画像形成装置１００のユーザインターフェース部１１０、或いは、プリント制御装置３０、画像読取装置４０、情報処理装置５０−１〜５０−ｎのユーザインターフェース部より用紙属性の設定が行われる各種インターフェース画面について図３を参照して説明を行う。
【００５１】
図３は、図１を参照して説明した画像形成装置１００のユーザインターフェース部１１０、或いは、プリント制御装置３０、画像読取装置４０、情報処理装置５０−１〜５０−ｎのユーザインターフェース部より用紙属性の設定が行われる各種インターフェース画面を示した画面構成図であり、図３（ａ）は、給紙トレイに用紙属性を表す識別子を設定する給紙トレイ設定画面３００を示す画面構成図であり、図３（ｂ）は、各種識別子について、識別子が表す用紙属性の詳細が設定される詳細設定画面３０１を示す画面構成図であり、図３（ｃ）は、用紙属性の内容の設定が行われる用紙属性設定画面３０３を示す画面構成図である。
【００５２】
図３（ａ）に示すように、給紙トレイ設定画面３００では、画像形成装置１００の給紙トレイに対して、用紙属性を示す識別子が選択されることができ、給紙トレイ（給紙トレイａ）１３１ａに対して、用紙属性を示す識別子である「カスタム紙種３」が設定されている。
【００５３】
この給紙トレイ設定画面３００で設定された内容は、用紙属性設定受付部１２２に保存される。
【００５４】
また、図３（ｂ）に示すように、詳細設定画面３０１では、各種識別子について、識別子が表す用紙属性の詳細が設定される画面であり、カスタム紙種番号で表されている識別子が選択されて詳細情報の確認／設定ボタン３０３が押下されることにより、選択された識別子が表す用紙属性の内容の設定が行える画面（次に説明する用紙属性設定画面３０２）が表示される。
【００５５】
図３（ｃ）には、詳細設定画面３０１から表示される用紙属性の内容の設定が可能な用紙属性設定画面３０２を示しており、詳細設定画面３０１で選択されたカスタム紙種３の用紙属性の内容の設定が行える。
【００５６】
用紙属性設定画面３０２では、用紙属性の設定が行えるように、「用紙紙種ベースレンジ」、「２ｎｄＢＴＢ電圧」、「用紙カール量」、「ＮＩＰ電圧」、「エアアシスト動作」が示されており、画面上の用紙属性に関して設定値の入力が可能とされる。
【００５７】
この、詳細設定画面３０１、用紙属性設定画面３０２で設定された内容は、用紙属性保存部１２１に保存される。
【００５８】
このように図３に示すインターフェース画面では、自動用紙選択の選択肢を設定することができない。
【００５９】
この図３に示した、給紙トレイ設定画面３００、詳細設定画面３０１、用紙属性設定画面３０２で設定された内容が、制御部１２０内の、用紙属性保存部１２１、用紙属性設定受付部１２２に保存され（図２（ａ）の用紙属性の入力の処理の際に行われる）、その後、図２（ｂ）に示したフローチャートに従って画像形成が行われると、本実施例の図３のインターフェース画面では、自動用紙選択の選択肢の設定をすることはできないので、自動用紙選択を有する印刷ジョブの画像形成が行われる際に、用紙属性が設定された給紙トレイである給紙トレイ（給紙トレイａ）１３１ａは自動選択の選択肢から除外されて給紙トレイの選択が給紙トレイ選択部１２４で行われる。
【００６０】
印刷ジョブには、用紙サイズ等の指定と自動用紙選択の指定が行われているので、画像形成装置１００は、用紙属性が設定された給紙トレイを選択肢から除外して、指定された用紙サイズの用紙が収納された給紙トレイから画像形成に使用する給紙トレイを選択し、標準の画像形成の制御が行われる。
【００６１】
このように、図３に示したユーザインターフェース画面では、自動用紙選択の選択肢の設定が行われなく、用紙サイズの指定と自動用紙選択の指定が行われた印刷ジョブを画像形成する際には、用紙属性の設定が行われた給紙トレイは自動用紙選択の選択肢から除外されて給紙トレイの選択が行われる。
【実施例２】
【００６２】
本実施例では、画像形成装置１００が備えるユーザインターフェース部１１０、或いは、プリント制御装置３０、画像読取装置４０、情報処理装置５０−１〜５０−ｎより、自動用紙選択の設定が行われ、自動用紙選択が指定された印刷ジョブの画像形成が行われる際に設定された自動用紙選択の内容に従って給紙トレイが選択され画像形成が行われる処理について説明を行う。
【００６３】
本実施例が実施される装置は、図１を参照して説明した画像形成装置１００およびネットワーク２０に接続されるプリント制御装置３０、情報読取装置４０、情報処理装置５０−１〜５０−ｎである。
【００６４】
図１を参照して説明した画像形成装置１００のユーザインターフェース部１１０、或いは、プリント制御装置３０、画像読取装置４０、情報処理装置５０−１〜５０−ｎのユーザインターフェース部より用紙属性の設定が行われる各種ユーザインターフェース画面について図４を参照して説明を行う。
【００６５】
図４は、図１を参照して説明した画像形成装置１００のユーザインターフェース部１１０、或いは、プリント制御装置３０、画像読取装置４０、情報処理装置５０−１〜５０−ｎのユーザインターフェース部より用紙属性の設定が行われる各種インターフェース画面を示した画面構成図であり、図４（ａ）は、給紙トレイに用紙属性を表す識別子を設定する給紙トレイ設定画面４００を示す画面構成図であり、図４（ｂ）は、各種識別子について、識別子が表す用紙属性の詳細が設定され、自動用紙選択の設定が行われる詳細設定画面４０１を示す画面構成図であり、図４（ｃ）は、用紙属性の内容の設定が行われる用紙属性設定画面４０３を示す画面構成図である。
【００６６】
図４（ａ）に示すように、給紙トレイ設定画面４００では、画像形成装置１００の給紙トレイに対して、用紙属性を示す識別子が選択されることができ、給紙トレイ（給紙トレイｂ）１３１ｂに対して、用紙属性を示す識別子である「カスタム紙種４」が設定されている。
【００６７】
この給紙トレイ設定画面３００で設定された内容は、用紙属性設定受付部１２２に保存される。
【００６８】
また、図４（ｂ）に示すように、詳細設定画面４０１では、各種識別子について、識別子が表す用紙属性の詳細が設定され、自動用紙選択の設定が行われ、カスタム紙種番号で表されている識別子が選択されて詳細情報の確認／設定ボタン４０３が押下されることにより、選択された識別子が表す用紙属性の内容の設定が行える画面（後述する用紙属性設定画面４０２）が表示される。
【００６９】
また、詳細設定画面４０１では、カスタム紙種番号で表されている識別子が選択されて自動用紙選択ボタン４０４の押下が行われることにより、選択されたカスタム紙種番号で表されている識別子について自動用紙選択の設定が行われる。
【００７０】
図４（ｂ）に示す詳細設定画面４０１では、カスタム紙種４の識別子について自動用紙選択の対象とされるように設定されている（符合４０５）。
【００７１】
カスタム紙種４の識別子について自動用紙選択の対象とされるように設定が行われることによって、給紙トレイ設定画面４００でカスタム紙種４が設定された給紙トレイ（給紙トレイｂ）１３１ｂが、自動用紙選択の指定がされた印刷ジョブの画像形成が行われる際に、自動用紙選択の選択肢に含まれる。
【００７２】
また、図４（ｃ）に示す用紙属性設定画面４０２では、詳細設定画面４０１から表示される用紙属性の内容の設定が可能な用紙属性設定画面４０２を示しており、詳細設定画面３０１で選択された識別子の用紙属性の内容の設定が行える。
【００７３】
この詳細設定画面４０１、用紙属性設定画面４０２で設定された内容は、用紙属性保存部１２１に保存される。
【００７４】
この図４に示した、給紙トレイ設定画面４００、詳細設定画面４０１、用紙属性設定画面４０２で設定された内容が、制御部１２０内の、用紙属性保存部１２１、用紙属性設定受付部１２２に保存され（図２（ａ）の用紙属性の入力の処理の際に行われる）、その後、図２（ｂ）に示したフローチャートに従って画像形成が行われると、本実施例の図４のインターフェース画面でカスタム紙種４の用紙属性が設定される給紙トレイが自動用紙選択の対象となるように設定されたので、カスタム紙種４の用紙属性が設定された給紙トレイ（給紙トレイｂ）１３１ｂを含めた画像形成部の４つの給紙トレイ（給紙トレイａ〜ｄ）１３１ａ〜ｄの中から、給紙トレイの選択が給紙トレイ選択部１２４で行われて画像形成される。
【００７５】
このように、画像形成装置１００のユーザインターフェース部１１０、或いは、プリント制御装置３０、画像読取装置４０、情報処理装置５０−１〜５０−ｎのユーザインターフェース部に表示される図４に示したユーザインターフェース画面では、識別子に対して自動用紙選択の対象とするか否かの設定が行われ、自動用紙選択が指定された印刷ジョブの画像形成が行われる際には、該ユーザインターフェース画面で自動用紙選択の対象とするように設定された、識別子が設定される給紙トレイを含めた給紙トレイの中から、給紙トレイが自動選択されて画像形成が行われる。
【実施例３】
【００７６】
本実施例では、画像形成装置１００が備えるユーザインターフェース部１１０、或いは、プリント制御装置３０、画像読取装置４０、情報処理装置５０−１〜５０−ｎより、自動用紙選択の設定が行われ、自動用紙選択が指定された印刷ジョブの画像形成が行われる際に、設定された自動用紙選択の内容に従って給紙トレイが選択され画像形成が行われる処理について説明を行う。
【００７７】
本実施例が実施される装置は、図１を参照して説明した画像形成装置１００およびネットワーク２０に接続されるプリント制御装置３０、情報読取装置４０、情報処理装置５０−１〜５０−ｎである。
【００７８】
図１を参照して説明した画像形成装置１００のユーザインターフェース部１１０、或いは、プリント制御装置３０、画像読取装置４０、情報処理装置５０−１〜５０−ｎのユーザインターフェース部より用紙属性の設定が行われる各種ユーザインターフェース画面について図５を参照して説明を行う。
【００７９】
図５は、図１を参照して説明した画像形成装置１００のユーザインターフェース部１１０、或いは、プリント制御装置３０、画像読取装置４０、情報処理装置５０−１〜５０−ｎのユーザインターフェース部より用紙属性の設定が行われる各種インターフェース画面を示した画面構成図であり、図５（ａ）は、給紙トレイに用紙属性を表す識別子を設定する給紙トレイ設定画面５００を示す画面構成図であり、図５（ｂ）は、各種識別子について、識別子が表す用紙属性の詳細が設定される詳細設定画面５０１を示す画面構成図であり、図５（ｃ）は、自動用紙選択の設定を含む用紙属性の設定が行われ、自動用紙選択のる用紙属性設定画面５０３を示す画面構成図である。
【００８０】
図５（ａ）に示すように、給紙トレイ設定画面５００では、画像形成装置１００の給紙トレイに対して、用紙属性を示す識別子が選択されることができ、給紙トレイ（給紙トレイｃ）１３１ｃに対して、用紙属性を示す識別子である「カスタム紙種２」が設定されている。
【００８１】
この給紙トレイ設定画面５００で設定された内容は、用紙属性設定受付部１２２に保存される。
【００８２】
また、図５（ｂ）に示すように、詳細設定画面５０１では、各種識別子について、識別子が表す用紙属性の詳細が設定され、カスタム紙種番号で表されている識別子が選択されて詳細情報の確認／設定ボタン５０３が押下されることにより、選択された識別子が表す用紙属性の内容の設定が行える画面（次に説明する用紙属性設定画面５０２）が表示される。
【００８３】
図５（ｃ）には、詳細設定画面５０１から表示される、自動用紙選択の設定を含む用紙属性の内容の設定が可能な用紙属性設定画面５０２を示しており、詳細設定画面５０１で選択されたカスタム紙種２の、自動用紙選択の設定を含む用紙属性の内容の設定が行える。
【００８４】
用紙属性設定画面５０２では、用紙属性の設定が行えるように、「用紙紙種ベースレンジ」、「２ｎｄＢＴＢ電圧」、「用紙カール量」、「ＮＩＰ電圧」、「エアアシスト動作」、に加えて「自動用紙選択」が示されており、画面上の用紙属性に関して設定値の入力が可能とされる。
【００８５】
この用紙属性設定画面５０２に示された「自動用紙選択」の設定項目によって、カスタム紙種２の用紙属性として、自動用紙選択の対象とするか否かの設定が行える。
【００８６】
このように、用紙属性設定画面５０２において、カスタム紙種２の用紙属性として、自動用紙選択の対象とするか否かの設定が行われることにより、カスタム紙種２が設定された給紙トレイを、自動用紙選択の対象とするか否かの設定が行われる。
【００８７】
図５に示したユーザインターフェース画面では、カスタム紙種２の用紙属性として、自動用紙選択を「対象としない」と設定されているので（符合５０４）、カスタム紙種２の用紙属性が設定された給紙トレイ（給紙トレイｃ）１３１ｃは、自動用紙選択の指示を含む印刷ジョブの画像形成が行われる際には、自動用紙選択の選択肢として含まれない。
【００８８】
この図５に示した、給紙トレイ設定画面５００、詳細設定画面５０１、用紙属性設定画面５０２で設定された内容が、制御部１２０内の、用紙属性保存部１２１、用紙属性設定受付部１２２に保存され（図２（ａ）の用紙属性の入力の際に行われる）、その後、図２（ｂ）に示したフローチャートに従って画像形成が行われると、本実施例の図５のインターフェース画面でカスタム紙種２の用紙属性が設定される給紙トレイは、自動用紙選択の対象としないように設定されたので、給紙トレイ（給紙トレイｃ）１３１ｃを外した給紙トレイ（給紙トレイａ）１３１ａ、給紙トレイ（給紙トレイｂ）１３１ｂ、給紙トレイ（給紙トレイｄ）１３１ｄの中から給紙トレイの選択が給紙トレイ選択部１２４で行われて画像形成される。
【００８９】
このように、画像形成装置１００のユーザインターフェース部１１０、或いは、プリント制御装置３０、画像読取装置４０、情報処理装置５０−１〜５０−ｎのユーザインターフェース部に表示される図５に示したユーザインターフェース画面では、識別子の用紙属性の設定項目の中に自動用紙選択の対象とするか否かの設定が行われ、自動用紙選択が指定された印刷ジョブの画像形成が行われる際には、該ユーザインターフェース画面で自動用紙選択の対象とするように設定された、識別子が設定される給紙トレイを含めた給紙トレイの中から、給紙トレイが自動選択され、画像形成が行われる。
【実施例４】
【００９０】
本実施例では、画像形成装置１００が備えるユーザインターフェース部１１０、或いは、プリント制御装置３０、画像読取装置４０、情報処理装置５０−１〜５０−ｎより、自動用紙選択の設定が行われ、自動用紙選択が指定された印刷ジョブの画像形成が行われる際に、設定された自動用紙選択の内容に従って給紙トレイが選択され画像形成が行われる処理について説明を行う。
【００９１】
本実施例が実施される装置は、図１を参照して説明した画像形成装置１００およびネットワーク２０に接続されるプリント制御装置３０、情報読取装置４０、情報処理装置５０−１〜５０−ｎである。
【００９２】
図１を参照して説明した画像形成装置１００のユーザインターフェース部１１０、或いは、プリント制御装置３０、画像読取装置４０、情報処理装置５０−１〜５０−ｎのユーザインターフェース部より用紙属性の設定が行われる各種ユーザインターフェース画面について図６を参照して説明を行う。
【００９３】
図６は、図１を参照して説明した画像形成装置１００のユーザインターフェース部１１０、或いは、プリント制御装置３０、画像読取装置４０、情報処理装置５０−１〜５０−ｎのユーザインターフェース部より用紙属性の設定が行われる各種インターフェース画面を示した画面構成図であり、図６（ａ）は、給紙トレイに用紙属性を表す識別子を設定することができ、用紙属性が設定された給紙トレイに対して自動用紙選択の設定が可能な給紙トレイ設定画面６００を示す画面構成図であり、図６（ｂ）は、各種識別子について、識別子が表す用紙属性の詳細が設定される詳細設定画面５０１を示す画面構成図であり、図６（ｃ）は、用紙属性の内容の設定が行われる用紙属性設定画面６０３を示す画面構成図である。
【００９４】
図６（ａ）に示すように、給紙トレイ設定画面６００では、画像形成装置１００の給紙トレイに対して、用紙属性を示す識別子が選択されることができ、給紙トレイ（給紙トレイｄ）１３１ｄに対して、用紙属性を示す識別子である「カスタム紙種１」が設定されている。
【００９５】
また、給紙トレイ設定画面６００では、自動用紙選択の対象とするか否かの選択が、用紙属性が設定された給紙トレイ毎に設定されることが可能である。
【００９６】
図６（ａ）に示す、給紙トレイ設定画面６００では、用紙属性が設定された給紙トレイ（給紙トレイａ）１３１ａは、自動用紙選択の対象としないように設定され、用紙属性が設定された給紙トレイ（給紙トレイｂ）１３１ｂは、自動用紙選択の対象とするように設定され、用紙属性が設定された給紙トレイ（給紙トレイｃ）１３１ｃは、自動用紙選択の対象としないように設定され、用紙属性が設定された給紙トレイ（給紙トレイｄ）１３１ｄは、自動用紙選択の対象とするように設定が行われている。
【００９７】
このように、給紙トレイ設定画面６００において、給紙トレイに対して用紙属性を示す識別子が設定され、また、用紙属性が設定された給紙トレイ毎に、自動用紙選択の対象とするか否かの設定が行われる（符合６０３）。
【００９８】
また、図６（ｂ）に示すように、詳細設定画面６０１では、各種識別子について、識別子が表す用紙属性の詳細が設定され、カスタム紙種番号で表されている識別子が選択されて詳細情報の確認／設定ボタン６０４が押下されることにより、選択された識別子が表す用紙属性の内容の設定が行える画面（次に説明する用紙属性設定画面６０２）が表示される。
【００９９】
図６（ｃ）には、詳細設定画面６０１から表示される、用紙属性の内容の設定が可能な用紙属性設定画面６０２を示しており、詳細画面６０１で選択されたカスタム紙種１の、用紙属性の内容の設定が行える。
【０１００】
この詳細設定画面６０１、用紙属性設定画面６０２で設定された内容は、用紙属性保存部１２１に保存される。
【０１０１】
この図６に示した、給紙トレイ設定画面６００、詳細設定画面６０１、用紙属性設定画面６０２で設定された内容が、制御部１２０内の、用紙属性保存部１２１、用紙属性設定受付部１２２に保存され（図２（ａ）の用紙属性の入力の際に行われる）、その後、図２（ｂ）に示したフローチャートに従って画像形成が行われると、本実施例の図６のインターフェース画面で設定されたように、用紙属性が設定された給紙トレイ（給紙トレイａ）１３１ａは、自動用紙選択の対象とされず、用紙属性が設定された給紙トレイ（給紙トレイｂ）１３１ｂは、自動用紙選択の対象とされ、用紙属性が設定された給紙トレイ（給紙トレイｃ）１３１ｃは、自動用紙選択の対象とされず、用紙属性が設定された給紙トレイ（給紙トレイｄ）１３１ｄは、自動用紙選択の対象とされるので、結局、自動用紙選択の対象とされた給紙トレイ（給紙トレイｂ）１３１ｂ、給紙トレイ（給紙トレイｄ）１３１ｄから給紙トレイの選択が行われて、画像形成が行われる。
【０１０２】
このように、画像形成装置１００のユーザインターフェース部１１０、或いは、プリント制御装置３０、画像読取装置４０、情報処理装置５０−１〜５０−ｎのユーザインターフェース部に表示される図６に示したユーザインターフェース画面では、用紙属性が設定された給紙トレイ毎に自動用紙選択の対象とするか否かの設定が行われ、自動用紙選択指定された印刷ジョブの画像形成が行われる際には、該ユーザインターフェース画面で自動用紙選択の対象とするように設定された給紙トレイの中から給紙トレイ選択部１２４で給紙トレイが自動選択されて画像形成が行われる。
【０１０３】
このように画像形成装置１００のユーザインターフェース部１１０、或いは、プリント制御装置３０、画像読取装置４０、情報処理装置５０−１〜５０−ｎに備えられるユーザインターフェース部より、用紙属性が設定された給紙トレイの中から自動用紙選択の対象とされる給紙トレイが設定されることができるので、ユーザが用紙サイズと自動用紙選択を指定した印刷ジョブを送信することで、用紙属性に基づく画像形成が必要なカスタム紙が収納された給紙トレイより給紙トレイの選択が行われて、給紙トレイに設定された用紙属性に基づく画像形成が行われる。
【産業上の利用可能性】
【０１０４】
この発明は、用紙を収納する１または複数の給紙装置を有して、給紙装置に収納されている用紙に適した用紙属性を給紙装置に設定して、給紙装置に収納された用紙に適した画像形成を可能とする画像形成装置において利用可能である。
【０１０５】
この発明によれば、用紙属性による画像形成制御が行われるカスタム紙種を指定した印刷を行う際に、用紙属性の設定が行われた給紙装置を自動用紙選択の対象とするか否かについて設定を行うことができる。
【図面の簡単な説明】
【０１０６】
【図１】本発明に係わる画像形成装置およびその方法が提供される画像形成装置の一概略構成例を示すブロック図。
【図２】画像形成装置１００において、用紙属性が入力され、入力された用紙属性によって用紙が制御されて画像形成が行われる処理フローを示したフローチャート。
【図３】ユーザインターフェース部より用紙属性の設定が行われる各種インターフェース画面を示した画面構成図。
【図４】ユーザインターフェース部より用紙属性の設定が行われ、自動用紙選択の設定が行われる各種インターフェース画面を示した画面構成図。
【図５】ユーザインターフェース部より用紙属性の設定が行われ、自動用紙選択の設定を含む用紙属性の設定が行われる各種インターフェース画面を示した画面構成図。
【図６】ユーザインターフェース部より用紙属性の設定が行われ、用紙属性が設定された給紙トレイに対して自動用紙選択の設定が可能な各種インターフェース画面を示した画面構成図。
【符号の説明】
【０１０７】
２０    ネットワーク
３０    プリント制御装置
４０    画像読取装置
５０−１〜５０−ｎ    情報処理装置
１００    画像形成装置
１１０    ユーザインターフェース部
１２０    制御部
１２１    用紙属性保存部
１２２    用紙属性設定受付部
１２３    用紙属性制御部
１２４    給紙トレイ選択部
１３０    画像形成部
１３１ａ    給紙トレイａ
１３１ｂ    給紙トレイｂ
１３１ｃ    給紙トレイｃ
１３１ｄ    給紙トレイｄ
【図１】
2007098841.tif 000003
【図２】
2007098841.tif 000004
【図３】
2007098841.tif 000005
【図４】
2007098841.tif 000006
【図５】
2007098841.tif 000007
【図６】
2007098841.tif 000008